(57)【要約】【課題】  あらかじめ登録された正当権限者でなければハンドルロック機構の解錠が行えない扉用ロックハンドル装置を提供する。【解決手段】  使用者の指が押し当てられる指紋入力部６と、指紋入力部６に入力された指紋データを検出する指紋検出部７と、諮問検出部７が検出した指紋データをあらかじめ登録保存する指紋登録部８と、指紋検出部７の検出指紋データを指紋登録部の登録指紋データと照合する指紋照合部９と、前記検出指紋データと前記登録指紋データが一致したときハンドルロック機構に解錠信号を出力するハンドルロック機構制御部１０とからなる指紋認証装置を装備しており、少なくとも指紋入力部６と指紋検出部７が、操作ハンドル３を収納するケース２に設置される。【選択図】  図２
2005256367.tif 000002
【特許請求の範囲】
【請求項１】
扉１に固着されるケース２に操作ハンドル３を出没可能に装着し、ケース２に収納した位置において操作ハンドル３をハンドルロック機構４によってケース２側に対して錠止し、前記錠止を解除してケース２から突出させた操作ハンドル３によってキャビネット本体５に対する扉３の施錠を解除するようにした扉用ロックハンドル装置において、
使用者の指が押し当てられる指紋入力部６と、指紋入力部６に入力された指紋データを検出する指紋検出部７と、諮問検出部７が検出した指紋データをあらかじめ登録保存する指紋登録部８と、指紋検出部７の検出指紋データを指紋登録部の登録指紋データと照合する指紋照合部９と、前記検出指紋データと前記登録指紋データが一致したときハンドルロック機構に解錠信号を出力するハンドルロック機構制御部１０とからなる指紋認証装置を装備しており、少なくとも指紋入力部６と指紋検出部７を前記ケース２に設置したことを特徴とする扉用ロックハンドル装置。
【発明の詳細な説明】
【技術分野】
【０００１】
本発明は、サーバーラック等の各種機器類を格納するキャビネットにおいて扉を開閉操作し、閉鎖位置において扉をキャビネット本体に対して施錠する扉用ロックハンドル装置に関する。
【背景技術】
【０００２】
従来の扉用ロックハンドル装置では、扉に固着されるケースに操作ハンドルを出没可能に装着し、操作ハンドルにシリンダ錠を装着し、該シリンダ錠のロータにケース側の受金部に係脱する止め金部材を連結してあり、キャビネット本体に対して扉を閉鎖した後、操作ハンドルで施錠主軸を回転駆動することによって、扉をキャビネット本体に対して施錠し、その後、前記ロータの鍵孔に所定の鍵を挿入し、該鍵を所定方向に回すことによって、前記止め金部材を受金部に係合させ、操作ハンドルをケースに対してロックするようになっている。
【０００３】
このようにシリンダ錠によって操作ハンドルをケースに対して錠止する構成の扉用ロックハンドル装置では、鍵が悪意による複製を受け易いため、正当権限者以外のものによって操作ハンドルのロックが解除され、扉が無断開放されて格納機器に不当にアクセスされ易い傾向にあり、セキュリティにおいて難点がある。
【特許文献１】特許第２９６９１１８号公報
【発明の開示】
【発明が解決しようとする課題】
【０００４】
本発明の課題は、従来装置の前記問題点を解消し、あらかじめ登録された正当権限者でなければハンドルロック機構の解錠が行えないようにすることである。
【課題を解決するための手段】
【０００５】
本発明の主たる特徴は、扉１に固着されるケース２に操作ハンドル３を出没可能に装着し、ケース２に収納した位置において操作ハンドル３をハンドルロック機構４によってケース２側に対して錠止し、前記錠止を解除してケース２から突出させた操作ハンドル３によってキャビネット本体５に対する扉３の施錠を解除するようにした扉用ロックハンドル装置において、
使用者の指が押し当てられる指紋入力部６と、指紋入力部６に入力された指紋データを検出する指紋検出部７と、諮問検出部７が検出した指紋データをあらかじめ登録保存する指紋登録部８と、指紋検出部７の検出指紋データを指紋登録部の登録指紋データと照合する指紋照合部９と、前記検出指紋データと前記登録指紋データが一致したときハンドルロック機構に解錠信号を出力するハンドルロック機構制御部１０とからなる指紋認証装置を装備しており、少なくとも指紋入力部６と指紋検出部７を前記ケース２に設置したことである。
【発明の効果】
【０００６】
本発明の扉用ロックハンドル装置には指紋認証装置が設けられており、指紋登録部８にあらかじめ登録されている指紋データと合致する指紋を有する者が指紋入力部６に指を押し当てない限り、ハンドルロック機構に対して解錠信号が出力されないため、正当権限者以外の者による操作ハンドル３のロック解除は厳格に禁止される。
したがって、この扉用ロックハンドル装置は、扉１の無断開放による格納機器類への不法アクセスや破壊・妨害工作が的確に阻止されるため、高いセキュリティを要求される用途に対応することができる。
【発明を実施するための最良の形態】
【０００７】
操作ハンドル３のロック解除の直後に操作ハンドル３がケース２から突出する作動形式の扉用ロックハンドル装置においては、指紋入力部６に挿入されたままにある使用者の指、あるいは指紋入力部６から抜取れられているが、まだ指紋入力６の近傍に残っている使用者の指に操作ハンドルの先端が当らないようにするため、ケース２における指紋入力部６の設置位置に充分留意する必要がある。
通常、操作ハンドル３の枢着部がケース２の上端側にあるとすれば、指紋入力部６はケース２の下端部分の正面に開口させられる。
【実施例】
【０００８】
図１から図５に示した本発明の実施例では、操作ハンドル３の先端部にはシリンダ錠１２が埋め込み装着されており、シリンダ錠１２のロータ１３の内端部の偏心カム突起１５は止め金部材１６の受動孔１７に嵌められている。ロータ１３の鍵孔１４に所定の鍵１８を挿入してロータ１３を回すと、ガイド孔１９に沿って止め金部材１６が摺動する。
図２に示した状態では、止め金部材１６はロック手段として機能する位置に突出しており、ケース２側の受金体２０と係合している。止め金部材１６と受金体２０との係合によって、操作ハンドル３はケース２内に収納された位置にロックされている。
【０００９】
ケース２の背面板部２１には、ソレノイド２２と検知スイッチ２３が固着されており、ソレノイド２２と検知スイッチ２３の前面側にはガイドカバー２４が配置され、ガイドカバー２４はケース２に対して固定されている。
ガイドカバー２４と背面板部２１の間には受金体２０と仲介部材２５が収容されており、受金体２０の基端はソレノイド２２のプランジャー２６に連結され、プランジャー２６は圧縮コイルバネ２７によって突出方向に付勢されている。
【００１０】
ソレノイド２２に通電したとき、プランジャー２６に牽引された受金体２０は、ガイドカバー２４に沿って図２において上方に摺動し、受金体２０と止め金部材１６の係合が解除される。
ソレノイド２２への通電は一定時間持続されるため、受金体２０はガイドカバー２４の内側に入り込んだ退避位置にあり、止め金部材１６と再係合することがない。その間に操作ハンドル３を基端部の枢軸２８を中心にしてケース２から引き出し回転させる。
【００１１】
ソレノイド２２への通電が遮断されたとき、プランジャー２６がソレノイド本体から所定長さ突出するため、受金体２０は図２において下方に摺動し、受金体２０は止め金部材１６と係合可能な待機位置へと突出する。
操作ハンドル３の前記枢軸２８は、施錠主軸２９の前端部を貫通しており、施錠主軸２９はケース２に対して回転可能かつ前後方向に移動不能に装着されており、施錠主軸２９には、扉１をキャビネット本体５に対して施錠するための施錠機構（図示していない）が接続される。
【００１２】
引き出した操作ハンドル３を所定方向に回すと、施錠主軸２９が一体的に回転し、キャビネット本体５に対する扉１の施錠が解除される。扉１は操作ハンドル３をそのまま手前に引くことによって開放させられる。
格納機器への所要の作業が終了した後、扉１を閉鎖し、操作ハンドル３を逆に回して扉１をキャビネット本体５に対して施錠し、操作ハンドル３をケース２内に押し込むと、突出状態にある前記止め金部材１６の先端部が、同じく突出状態に待機している受金体２０の先端部の傾斜カム面２０ａに接触するため、受金体２０が一旦上昇し、止め金部材１６が受金体２０の位置を通過したとき、受金体２０は圧縮コイルバネ２７の付勢によって下降し、受金体２０と止め金部材１６の係合が成立する。
【００１３】
以上の説明から理解されるように本実施例では、ハンドルロック機構４は、ケース２側に装備されたソレノイド２２及び受金体２０と、操作ハンドル３側に装備された止め金部材１６とによって構成されており、ハンドルロック機構制御部１０からの解錠信号は、ソレノイド２２の励磁コイルに入力される。
止め金部材１６は操作ハンドル３に一体に形成したり、別体に構成して操作ハンドル３に固定装備することもできるが、本実施例では、上記したように止め金部材１６は操作ハンドル３に対して可動装備されている。
【００１４】
本実施例において止め金部材１６をシリンダ錠１２のロータ１３に接続したのは、ソレノイド２２の給電回路や指紋認証装置の電気系統に故障が発生した非常事態において、扉１を機械式に解錠するためである。
すなわち、シリンダ錠１２のロータ１３の鍵孔１４に所定の鍵１８を挿入し、ロータ１３を所定の方向に回すと、前記偏心カム突起１５と受動孔１７の協働作用によって止め金部材１６が下方に摺動させられ、図３に示したように止め金部材１６が受金体２０から離脱した位置に来る。そのため、ソレノイド２２が不作動であっても、操作ハンドル３をケース２から引き出し、キャビネット本体５に対する扉１の施錠を解除することができる。
【００１５】
このように止め金部材１６が受金体２０から離脱する位置に来たとき、仲介部材２５が重力による付勢または検知スイッチ２３の内蔵バネによる付勢によって下降するため、マイクロスイッチ型の検知スイッチ２３はオン作動し、ランプや発光ダイオードあるいはブザー等の報知手段の駆動回路が閉じられる。これによって、扉用ロックハンドル装置が手動によって機械式に解錠されたことが報知される。また、所定の表示パネルに逐次表示したり、手動解錠の実行時刻などを記録管理等することができる。
【００１６】
前記電気系統の故障が解消されてソレノイド２２に通電されたとき、受金体２０の背面側の牽引突起３０が仲介部材２５の前面側の受動突起３１に係合するため、仲介部材２５は検知スイッチ２３のアクチュエーターレバー２３ａを押圧する位置に復帰させられる。そして、仲介部材２５の下端には突出状態にリセットされた止め金部材１６の先端が当接するため、図２に示したように平常状態では、前記報知回路は開かれたままである。
鍵１０の挿入回転による解錠を的確に検知して、所要の制御パネルに表示したり、手動解錠の実行時刻などを記録管理等することができる。
【００１７】
ガイドカバー２４の背面側の規制突起３２は、受金体２０の前面側の停止突起３３と係合して、受金体２０の下限位置を決定している。
指紋認証装置の指紋入力部６と諮問検出部７はケース２に設置されており、これら以外の各部は、ケース２から分離して設置されるコントローラ１１に内蔵されている。指紋認証装置の各部とソレノイド２２には、電池または適宜のＤＣ電源から必要な電力が供給される。指紋入力部６の入り口には、揺動式のシャッター３４が枢軸３５によって設けられている。
【００１８】
当該扉用ロックハンドル装置の解錠操作を許された者、すなわち当該キャビネット本体５に格納された機器類へのアクセスを許されている正当権限者は、あらかじめ自らの指紋データを指紋登録部８に登録して置く。この指紋登録を行なうときには、指紋検証装置は適宜操作によって「指紋登録/削除モード」に設定される。
【００１９】
図３の（２）及び図２に示すように、正当権限者が指先でシャッター３４を指紋入力部６の空洞部内に押込むと、指紋入力部６の底部にある指紋入力面６ａが視野に入る。この指紋入力面６ａに指を当て軽く押すと、指紋入力部６の起動スイッチがオンする（図５のフローチャートの「開始」の段階）。このとき、橙色のＬＥＤランプ２６が約３秒間点滅する。
指紋入力面６ａの下側に接続されている指紋検出部７によって正当権限者の指紋データが検出され（図５のフローチャートのステップＳ１の段階）、指紋登録部８に当該指紋データが出力されて保存される。
【００２０】
正当権限者が複数存在する場合には、同様にして複数人の指紋データが登録される。正当権限者が変更される場合には、正当権限者から脱退する者の指紋データが、指紋登録部８から削除される。
指紋データの登録または削除が終了した後、指紋認証装置は適宜操作によって解錠作動モードに切り換えられる。
【００２１】
この解錠作動モードにおいて、扉用ロックハンドル装置の操作を企図する者の指が指紋入力部６に挿入され、指紋検出部７でその者の指紋データが検出される（図５のフローチャートのステップＳ１の段階）、橙色のＬＥＤランプ３６が約３秒間点滅する。
指紋検出部７で検出した指紋データがコントローラ１１の指紋照合部９に出力されると、当該指紋データが指紋登録部８に登録されている指紋データと照合される（図５のフローチャートのステップＳ２の段階）。
【００２２】
検出指紋データが登録指紋データのどれか一つと一致したとき（図５のフローチャートのステップＳ３のＹＥＳ）、緑色のＬＥＤランプ３７が点灯する。指紋照合部９から一致信号がハンドルロック機構制御部１０に出力され、ハンドルロック機構制御部１０からハンドルロック機構４のソレノイド２２に解錠信号が送られる（図５のフローチャートのステップＳ４の段階）。
【００２３】
緑色のＬＥＤランプが点灯されている間（約４秒間）は、ソレノイド２２のプランジャー２６がソレノイド本体側に吸引され、受金体２０が止め金部材１６から離脱した位置に保持されているため、操作ハンドル３はケース２から引き出し回転可能となる。
【００２４】
検出指紋データが登録指紋データのどれとも一致しないとき（図５のフローチャートのステップＳ３のＮＯ）、赤色のＬＥＤランプ３８が点灯し、警報ブザー３９から「ピーツ」と長い音が約３秒間、鳴り続ける。これによって、正当権限者は指先を綺麗に拭ってから指紋データを再入力することになる。
正当権限を有しない者は、警報音によって不正解錠を図っていることを周囲に知られることになる。
【００２５】
なお、指紋認証装置には、日付機能または時計機能を有する解錠履歴記憶部、解錠履歴検索部及び解錠履歴表示部を組み込むことによって、何時、誰によって扉１が開放されたかを記録し、後日確認できるようにすることもできる。
【図面の簡単な説明】
【００２６】
【図１】本発明の一実施例に係る指紋認証装置付き扉用ロックハンドル装置の斜視図であり、（１）の状態では、扉はキャビネット本体に対して施錠されており、（２）の状態では、指紋入力部に使用者の指が挿入されており、（３）の状態では、ハンドルロック機構が解錠されて操作ハンドルがケースから引き出し回転させられている。
【図２】図１の扉用ロックハンドル装置の中央縦断面図であり、操作ハンドルはケースに対してロックされた状態にある。
【図３】図１の扉用ロックハンドル装置の中央縦断面図であり、鍵の使用によってハンドルロック機構が非常解錠された状態にある。。
【図４】図１の扉用ロックハンドル装置に装備した指紋認証装置の構成図である。
【図５】図３の指紋認証装置の動作を示すフローチャートである。
【符号の説明】
【００２７】
１  扉
２  ケース
３  操作ハンドル
４  ハンドルロック機構
５  キャビネット本体
６  指紋入力部
７  指紋検出部
８  指紋登録部
９  指紋照合部
１０  ハンドルロック機構制御部
１１  コントローラ
１２  シリンダ錠
１３  ロータ
１４  鍵孔
１５  偏心カム突起
１６  止め金部材
１７  受動孔
１８  鍵
１９  ガイド孔
２０  受金体
２１  背面板部
２２  ソレノイド
２３  検知スイッチ
２４  ガイドカバー
２５  仲介部材
２６  プランジャー
２７  圧縮コイルバネ
２８  枢軸
２９  施錠主軸
３０  牽引突起
３１  受動突起
３２  規制突起
３３  停止突起
３４  シャッター
【図１】
2005256367.tif 000003
【図２】
2005256367.tif 000004
【図３】
2005256367.tif 000005
【図４】
2005256367.tif 000006
【図５】
2005256367.tif 000007